(57)【要約】販売時点情報管理（ＰＯＳ）システム及びその制御方法を提供する。ＰＯＳシステムは、商品に付されたバーコードをスキャンするバーコードスキャナと、上記スキャンした商品を選択的に取り消しまたは保留するためのキー入力部と、上記バーコードスキャナまたは前記キー入力部から商品情報を受信するＰＯＳ端末機、及び上記バーコードスキャナが商品のバーコードをスキャンしている時や前記キー入力部でスキャンした商品を取り消しまたは保留した時に上記ＰＯＳ端末機から所定のデータ信号が入力されて所定の色で点灯する一つ以上の表示ランプを備えるスキャン／キー入力表示部とを備える。これにより、商品販売員が商品のバーコードをスキャンした後に不正な目的または過失でスキャンした商品を取り消しまたは保留するためにキー入力部を操作した時、当該表示ランプが点灯して商品販売員以外の管理者などもそれを認知することができる。
2009532798.tif 000002
【特許請求の範囲】
【請求項１】
販売時点データを管理する販売時点情報管理（ＰＯＳ）システムであって、
商品に付されたバーコードをスキャンするバーコードスキャナと、
前記スキャンした商品を選択的に取り消しまたは保留するためのキー入力部と、
前記バーコードスキャナまたは前記キー入力部から商品情報を受信するＰＯＳ端末機と、
前記バーコードスキャナが商品のバーコードをスキャンしている時や前記キー入力部でスキャンした商品を取り消しまたは保留した時、前記ＰＯＳ端末機から所定のデータ信号が入力されて所定の色に点灯する一つ以上の表示ランプを有するスキャン／キー入力表示部と、
を備えることを特徴とするＰＯＳシステム。
【請求項２】
前記スキャン／キー入力表示部は、前記バーコードスキャナが商品のバーコードをスキャンしている時は点灯せず、前記キー入力部がスキャンした商品を取り消しまたは保留した時に点灯する一つの表示ランプを含むことを特徴とする、請求項１に記載のＰＯＳシステム。
【請求項３】
前記スキャン／キー入力表示部は、
前記バーコードスキャナが商品のバーコードをスキャンしている時は点灯せず、前記キー入力部がスキャンした商品を取り消した時に点灯する第１の表示ランプと、
前記キー入力部がスキャンした商品を保留した時に点灯する第２の表示ランプと
を含むことを特徴とする、請求項１に記載のＰＯＳシステム。
【請求項４】
前記スキャン／キー入力表示部は、
前記バーコードスキャナが商品のバーコードをスキャンしている時に点灯する第１の表示ランプと、
前記キー入力部がスキャンした商品を取り消しまたは保留した時に点灯する第２の表示ランプと
を含むことを特徴とする、請求項１に記載のＰＯＳシステム。
【請求項５】
前記スキャン／キー入力表示部は、
前記バーコードスキャナが商品のバーコードをスキャンしている時に点灯する第１の表示ランプと、
前記キー入力部がスキャンした商品を取り消した時に点灯する第２の表示ランプと、
前記キー入力部がスキャンした商品を保留した時に点灯する第３の表示ランプと
を含むことを特徴とする、請求項１に記載のＰＯＳシステム。
【請求項６】
前記表示ランプは、それぞれ異なる色の光で点灯することを特徴とする、請求項３ないし５のいずれか１項に記載のＰＯＳシステム。
【請求項７】
販売時点データを管理する販売時点情報管理（ＰＯＳ）システムの制御方法であって、
購買者の商品販売要請に応じて商品に付されたバーコードをスキャンするステップと、
商品販売員がスキャンした商品を取り消しまたは保留するためにキーを入力するステップと、
表示ランプが点灯するステップと
を備えることを特徴とする、ＰＯＳシステムの制御方法。
【請求項８】
販売時点データを管理する販売時点情報管理（ＰＯＳ）システムの制御方法であって、
購買者の商品販売要請に応じて商品に付されたバーコードをスキャンするステップと、
商品販売員がスキャンした商品を取り消しまたは保留するためにキーを入力するステップと、
商品を取り消すキーを入力した時に第１の表示ランプが点灯し、商品を保留するキーを入力した時に第２の表示ランプが点灯するステップと、
を備えることを特徴とする、ＰＯＳシステムの制御方法。
【請求項９】
販売時点データを管理する販売時点情報管理（ＰＯＳ）システムの制御方法であって、
購買者の商品販売要請に応じて商品に付されたバーコードをスキャンするステップと、
第１の表示ランプが点灯するステップと、
商品販売員がスキャンした商品を取り消しまたは保留するためにキーを入力するステップと、
第２の表示ランプが点灯するステップと、
を備えることを特徴とする、ＰＯＳシステムの制御方法。
【請求項１０】
販売時点データを管理する販売時点情報管理（ＰＯＳ）システムの制御方法であって、
購買者の商品販売要請に応じて商品に付されたバーコードをスキャンするステップと、
第１の表示ランプが点灯するステップと、
商品販売員がスキャンした商品を取り消しまたは保留するためにキーを入力するステップと、
商品を取り消すキーを入力した時に第２の表示ランプが点灯し、商品を保留するキーを入力した時に第３の表示ランプが点灯するステップと、
を備えることを特徴とするＰＯＳシステムの制御方法。
【発明の詳細な説明】
【技術分野】
【０００１】
本発明は、販売時点情報管理（ＰＯＳ）システム及びその制御方法に関連し、より詳しくは、商品販売員が商品のバーコードをスキャンしている時やスキャンした商品を取り消しまたは保留するためにキー入力部を操作した時、当該表示ランプが点灯することで商品販売員以外の管理者などもそれを認知できるようにするためのＰＯＳシステム及びその制御方法に関する。
【背景技術】
【０００２】
商品の販売時点データを管理するＰＯＳシステムは、販売商品に付されたバーコードをスキャンして多数の商品に対する受払いを処理し、販売データを管理するＰＯＳ端末機と、複数のＰＯＳ端末機とデータ通信網を介して接続され各ＰＯＳ端末機から受領した各種のデータを処理するホストサーバーとにより構成されて流通経済を総合的に管理する。ここで、ＰＯＳ端末機には、受払い管理、販売管理、売上げ分析などの流通経済管理のためのソフトウェアが搭載され、ホストコンピューター、データベースサーバーなどとの連動のためのデータ通信網接続機能が存在する。
【０００３】
このため、販売者はＰＯＳ端末機に接続されたバーコードスキャナを介して販売商品に付されたバーコードをスキャンし入力することにより、商品の代金を容易に計算して受払い処理すると同時に販売データを収集して全体売上げを管理することができ、カードリーダーを介してクレジットカード情報を入力することによりＶＡＮを通じて決済承認を要請して支払いを処理することができる。
【０００４】
このように、ＰＯＳシステムは、流通に係る様々なデータの管理を容易にし且つ販売業務処理時において便宜を提供することから、デパートやディスカウントショップなどの大型売場だけでなく、コンビニ、一般の小売店などの様々な場所で使われている。
【０００５】
一方、販売員が商品のバーコードに対するスキャンニング中またはすべての商品をスキャンした後に、特定の商品を取り消したり販売保留をしたりしなければならない場合が生じることがある。例えば、商品購買をしようとする消費者の変心によってスキャンした商品を取り消したり、未成年者などへの販売制限商品として分類された商品がある場合、販売員本人から成人認証のために商品販売を保留したりする場合が生じることがある。
【０００６】
しかしながら、上記のように正常に商品を取り消したり保留したりする場合だけでなく、販売員の過失または不正な目的のため商品を取り消しまたは保留することにより、商品の計算が間違って営業損失をもたらす場合がしばしば発生するという問題点がある。このような場合、現在では販売員の良心を信じてＰＯＳシステムを運営しており、それに対する実質的な対応策が切実に要求されている。
【発明の開示】
【発明が解決しようとする課題】
【０００７】
本発明は、上記問題点を解決するためになされたものであって、その目的は、販売員が商品のバーコードをスキャンする時だけなく、スキャンニング中またはすべての商品をスキャンした後に特定の商品を取り消しまたは販売保留をした時に、販売員以外の他人や管理者が認知できるように表示ランプが点灯するスキャン／キー入力表示部を備えたＰＯＳシステム及びその制御方法を提供することである。
【課題を解決するための手段】
【０００８】
上記目的を達成するための販売時点データを管理する販売時点情報管理（ＰＯＳ）システムは、商品に付されたバーコードをスキャンするバーコードスキャナと、上記スキャンした商品を選択的に取り消しまたは保留するためのキー入力部と、上記バーコードスキャナまたは上記キー入力部から商品情報を受信するＰＯＳ端末機と、上記バーコードスキャナが商品のバーコードをスキャンしている時や上記キー入力部でスキャンした商品を取り消しまたは保留した時、上記ＰＯＳ端末機から所定のデータ信号が入力されて所定の色に点灯する一つ以上の表示ランプを有するスキャン／キー入力表示部とを備えることを特徴とする。
【０００９】
ここで、上記スキャン／キー入力表示部は、上記バーコードスキャナが商品のバーコードをスキャンしている時は点灯せず、上記キー入力部がスキャンした商品を取り消しまたは保留した時に点灯する一つの表示ランプで構成される。
【００１０】
また、上記スキャン／キー入力表示部は、上記バーコードスキャナが商品のバーコードをスキャンしている時は点灯せず、上記キー入力部がスキャンした商品を取り消した時に点灯する第１の表示ランプ、及び上記キー入力部がスキャンした商品を保留した時に点灯する第２の表示ランプで構成される。
【００１１】
また、上記スキャン／キー入力表示部は、上記バーコードスキャナが商品のバーコードをスキャンしている時に点灯する第１の表示ランプ、及び上記キー入力部がスキャンした商品を取り消しまたは保留した時に点灯する第２の表示ランプで構成される。
【００１２】
さらに、上記スキャン／キー入力表示部は、上記バーコードスキャナが商品のバーコードをスキャンしている時に点灯する第１の表示ランプと、上記キー入力部がスキャンした商品を取り消した時に点灯する第２の表示ランプ、及び上記キー入力部がスキャンした商品を保留した時に点灯する第３の表示ランプとで構成される。
【００１３】
上記表示ランプは、それぞれ異なる色の光で点灯することを特徴とする。
前記目的は、購買者の商品販売要請に応じて商品に付されたバーコードをスキャンするステップと、商品販売員がスキャンした商品を取り消しまたは保留するためにキーを入力するステップ、及び表示ランプが点灯するステップと、を含むことを特徴とするＰＯＳシステムの制御方法によっても達成することができる。
【００１４】
また、上記目的を達成するためのＰＯＳ制御システムの制御方法は、購買者の商品販売要請に応じて商品に付されたバーコードをスキャンするステップと、商品販売員がスキャンした商品を取り消しまたは保留するためにキーを入力するステップ、及び商品を取り消すキーを入力した時に第１の表示ランプが点灯し、商品を保留するキーを入力した時に第２の表示ランプが点灯するステップと、を含むことを特徴とする。
【００１５】
さらに、上記目的は、購買者の商品販売要請に応じて商品に付されたバーコードをスキャンするステップと、第１の表示ランプが点灯するステップと、商品販売員がスキャンした商品を取り消しまたは保留するためにキーを入力するステップ、及び第２の表示ランプが点灯するステップと、を含むことを特徴とするＰＯＳシステムの制御方法によっても達成することができる。
【００１６】
さらにまた、上記目的を達成するためのＰＯＳシステムの制御方法は、購買者の商品販売要請に応じて商品に付されたバーコードをスキャンするステップと、第１の表示ランプが点灯するステップと、商品販売員がスキャンした商品を取り消しまたは保留するためにキーを入力するステップ、及び商品を取り消すキーを入力した時に第２の表示ランプが点灯し、商品を保留するキーを入力した時に第３の表示ランプが点灯するステップと、を含むことを特徴とする。
【発明の効果】
【００１７】
本発明によれば、販売員が故意または過失でキー入力部を介して商品を取り消しまたは保留した時、上記スキャン／キー入力表示部において特定の色相の表示ランプが点灯するため、販売員以外の他人や管理者が販売員の商品取り消しまたは保留行為を認知することができ、この結果、販売員の不正な目的による営業損失または過失による売上げ計算間違いなどをあらかじめ防止することができる。
【発明を実施するための最良の形態】
【００１８】
図１は、本発明の実施の形態によるＰＯＳシステムを示した構成図である。
図１を参照すれば、ＰＯＳシステムは、ＰＯＳ端末機１０、ディスプレイ部２０、カードリーダー２２、商品ＤＢ３０、バーコードスキャナ４０、キー入力部５０、及びスキャン／キー入力表示部６０を含む。
【００１９】
ＰＯＳ端末機１０には、ＲＳ−２３２Ｃ、ＵＳＢ、ＰＳ２などの通信規格を利用するディスプレイ部２０、カードリーダー２２、バーコードスキャナ４０、キー入力部５０などの装置が選択的に接続され、各種のデータをＰＯＳ端末機１０に提供したり、ＰＯＳ端末機１０から提供するデータを表示したりする。
【００２０】
また、ＰＯＳ端末機１０は、商品ＤＢ３０、周辺装置などとデータを送受信するための通信モジュール１４と、販売、売上げ、受払い、在庫、承認などの流通管理のためのプログラムが記憶されたプログラム記憶部１６と、上記プログラム記憶部１６に記憶されたプログラムを実行して商品の販売に係わる全般的な機能を制御するＣＰＵ１２と、を含む。
【００２１】
ディスプレイ部２０は、ＰＯＳ端末機１０が処理した各種のデータを出力し、またスキャンした商品が取り消しまたは保留された時にその旨を示すメッセージを表示する。上記各種のデータには、商品販売金額、受払い処理結果などの一般的なデータが含まれる。
【００２２】
カードリーダー２２は、クレジットカードなどのカードデータを読み込んでＰＯＳ端末機１０に提供し、付加価値ネットワーク（ＶＡＮ）を介してＰＯＳシステムを使用した認証をクレジットカード社に要請することができる。
【００２３】
商品ＤＢ３０には、各種の商品に関するデータが記憶され管理される。例えば、販売商品のバーコードをスキャンすると、スキャンされたデータ情報を受け付けた上記ＰＯＳ端末機１０は、上記商品ＤＢ３０に記憶されている商品情報を読み出して上記ディスプレイ部２０に価格、製品名などの商品情報を標示する。
【００２４】
バーコードスキャナ４０は、販売商品に付されたバーコードをスキャンし、該バーコードデータをＰＯＳ端末機１０に提供する。
キー入力部５０は、販売商品のスキャンニング中またはすべての商品をスキャンした後に特定の商品を取り消しまたは保留したい時、ディスプレイ部２０に表示された商品のうちから取り消しまたは保留したい商品を選択して取り消しまたは保留させる。
【００２５】
スキャン／キー入力表示部６０は、上記ＰＯＳ端末機１０に接続され、特定の色相の光を発する少なくとも一つ以上の表示ランプで構成されており、上記バーコードスキャナ４０が商品のバーコードをスキャンしている時や、前記キー入力部５０で特定の商品を取り消しまたは保留した時に特定の色相の表示ランプが点灯する。このようなスキャン／キー入力表示部６０について、図２を参照して詳しく説明することにする。
【００２６】
図２は、本発明の実施の形態によるＰＯＳシステムのスキャン／キー入力表示部の様々な例を示した図である。
図２を参照すると、スキャン／キー入力表示部における表示ランプが一つで構成された場合（ａ）、表示ランプが二つ（第１の表示ランプ（白色）及び第２の表示ランプ（赤色））で構成された場合（ｂ）及び表示ランプが三つ（第１の表示ランプ（白色）、第２の表示ランプ（赤色）及び第３の表示ランプ（緑色））で構成された場合（ｃ）を示している。
【００２７】
ここで、図２には、表示ランプたちの色相として白色、赤色、緑色を例に挙げて説明したが、本発明はこれに限定されるものではなく、設計者によっては様々な他の色の表示ランプを使うことができることは当業者にとって自明な事実である。
【００２８】
上記スキャン／キー入力表示部６０が図２の（ａ）で構成された場合、商品のバーコードをスキャンしている時には表示ランプが点灯せず、商品を取り消しまたは保留した時に上記表示ランプが点灯する。
【００２９】
上記スキャン／キー入力表示部６０が図２の（ｂ）で構成された場合、商品のバーコードをスキャンしている時には第１の表示ランプ（白色）が点灯し、商品を取り消しまたは保留した時に第２の表示ランプ（赤色）が点灯する。
【００３０】
上記スキャン／キー入力表示部（６０）が図２の（ｃ）で構成された場合、商品バーコードをスキャンしている時には第１の表示ランプ（白色）が点灯し、商品を取り消した時に第２の表示ランプ（赤色）が点灯し、商品を保留した時に第３の表示ランプ（緑色）が点灯する。
【００３１】
また、上記スキャン／キー入力表示部（６０）が図２の（ｂ）で構成された場合、商品のバーコードをスキャンしている時には表示ランプが点灯せず、商品を取り消した時に第１の表示ランプ（白色）が点灯し、商品を保留した時に第２の表示ランプ（赤色）が点灯するようにしてもよい。
【００３２】
このように、本発明の実施の形態によるＰＯＳシステムは、販売員が故意または過失でキー入力部５０を介して商品を取り消しまたは保留した時、上記スキャン／キー入力表示部６０における特定の色相の表示ランプが点灯するため、販売員以外の他人や管理者が販売員の商品取り消しまたは保留行為を認知することができ、この結果、販売員の不正な目的による営業損失または過失による売上げ計算間違いなどをあらかじめ防止することができる。
【００３３】
図３は、本発明の実施の形態による図２の（ａ）で構成されたスキャン／キー入力表示部を備えたＰＯＳシステムの制御方法を示すフローチャートである。
図３を参照すると、先ず、販売員が商品のバーコードを上記バーコードスキャナ４０でスキャンする（Ｓ１０）。
【００３４】
商品のスキャンニング中またはすべての商品をスキャンした後、販売員がキー入力部５０を利用して特定の商品を取り消しまたは保留したか否かを判断し（Ｓ１２）、該判断の結果、取り消しまたは保留した商品がない場合、スキャンした商品の売上げ処理を行う（Ｓ１４）。この場合、上記スキャン／キー入力表示部６０における表示ランプは点灯しない。
【００３５】
もし、上記Ｓ１２ステップにおいて販売員が特定の商品を取り消しまたは保留したと判断された場合、上記ＰＯＳ端末機１０は、前記キー入力部５０から取り消しまたは保留データ信号を受け、点灯信号を上記スキャン／キー入力表示部６０に印加することにより表示ランプ（赤色）が点灯する（Ｓ１６）。
【００３６】
図４は、本発明の実施の形態による図２の（ｂ）で構成されたスキャン／キー入力表示部を備えたＰＯＳシステムの制御方法を示すフローチャートである。
図４を参照すると、先ず、販売員が商品のバーコードを上記バーコードスキャナ４０でスキャンする（Ｓ２０）。この時、ＰＯＳ端末機１０は、正常なデータ信号を受けてからスキャン／キー入力表示部６０へ第１の点灯信号を印加することにより第１の表示ランプ（白色）が点灯する（Ｓ２１）。上記第１の表示ランプ（白色）は、各商品のバーコードがスキャンされる度に点灯する。
【００３７】
次いで、販売員が商品のスキャンニング中またはすべての商品をスキャンした後、販売員がキー入力部５０を利用して特定の商品を取り消しまたは保留したか否かを判断し（Ｓ２２）、該判断の結果、取り消しまたは保留した商品がない場合、スキャンされた商品の売上げ処理を行う（Ｓ２４）。
【００３８】
もし、上記Ｓ２２ステップにおいて販売員が特定の商品を取り消しまたは保留したと判断された場合、上記ＰＯＳ端末機１０は、前記キー入力部５０から取り消しまたは保留データ信号を受けてから上記スキャン／キー入力表示部６０へ第２の点灯信号を印加することにより第２の表示ランプ（赤色）が点灯する（Ｓ２６）。
【００３９】
図５は、本発明の実施の形態による図２の（ｃ）で構成されたスキャン／キー入力表示部を備えたＰＯＳシステムの制御方法を示すフローチャートである。
図５を参照すると、先ず、販売員が商品のバーコードを上記バーコードスキャナ４０でスキャンする（Ｓ３０）。この時、ＰＯＳ端末機１０は、正常なデータ信号を受けてからスキャン／キー入力表示部６０へ第１の点灯信号を印加することにより第１の表示ランプ（白色）が点灯する（Ｓ３１）。上記第１の表示ランプ（白色）は、各商品のバーコードがスキャンされる度に点灯する。
【００４０】
次いで、販売員が商品のスキャンニング中またはすべての商品をスキャンした後、販売員がキー入力部５０を利用して特定の商品を取り消しまたは保留したか否かを判断し（Ｓ３２）、該判断の結果、取り消しまたは保留した商品がない場合、スキャンされた商品の売上げ処理を行う（Ｓ３４）。
【００４１】
もし、上記Ｓ３２ステップにおいて販売員が特定の商品を取り消したと判断された場合、上記ＰＯＳ端末機１０は、前記キー入力部５０から取り消しデータ信号を受けてから上記スキャン／キー入力表示部６０へ第２の点灯信号を印加することにより第２の表示ランプ（赤色）が点灯する（Ｓ３６）。
【００４２】
もし、上記Ｓ３２ステップにおいて販売員が特定の商品を保留したと判断された場合、上記ＰＯＳ端末機１０は、前記キー入力部５０から保留データ信号を受けてから上記スキャン／キー入力表示部６０へ第３の点灯信号を印加することにより第３の表示ランプ（緑色）が点灯する（Ｓ３８）。
【００４３】
図６は、本発明の実施の形態による図２の（ｂ）で構成されたスキャン／キー入力表示部を備えたＰＯＳシステムの制御方法を示す他のフローチャートである。
図６を参照すれば、先ず、販売員が商品のバーコードを上記バーコードスキャナ４０でスキャンする（Ｓ４０）。
【００４４】
商品のスキャンニング中またはすべての商品をスキャンした後、販売員がキー入力部５０を利用して特定の商品を取り消しまたは保留したか否かを判断し（Ｓ４２）、該判断の結果、取り消しまたは保留した商品がない場合、スキャンされた商品の売上げ処理を行う（Ｓ４４）。この場合、上記スキャン／キー入力表示部６０における表示ランプは点灯しない。
【００４５】
もし、上記Ｓ４２ステップにおいて販売員が特定の商品を取り消したと判断された場合、上記ＰＯＳ端末機１０は、前記キー入力部５０から取り消しデータ信号を受けてから上記スキャン／キー入力表示部６０へ第１の点灯信号を印加することにより第１の表示ランプ（赤色）が点灯する（Ｓ４６）。
【００４６】
もし、上記Ｓ４２ステップにおいて販売員が特定の商品を保留したと判断された場合、上記ＰＯＳ端末機１０は、前記キー入力部５０から保留データ信号を受けてから上記スキャン／キー入力表示部６０へ第２の点灯信号を印加することにより第２の表示ランプ（緑色）が点灯する（Ｓ４８）。
【００４７】
上記図３ないし図６において、保留された商品というものが、例えば、未成年者などには販売が制限された商品である場合には、成人認証を経て成人と認証されたか否かに応じて保留された商品を正常処理するか否かが決められる。もし、購買者が成人であると判明されると、保留された商品は正常に処理されて売上げ処理され、未成年者と判明されると、保留された商品は取り消しされて売上げから除外される。
【産業上の利用可能性】
【００４８】
本発明によるＰＯＳシステム及びその制御方法は、販売員が故意または過失でキー入力部５０を介して商品を取り消しまたは保留した時、上記スキャン／キー入力表示部６０における特定の色相の表示ランプが点灯するため、販売員以外の他人や管理者が販売員の商品取り消しまたは保留行為を認知することができ、この結果、販売員の不正な目的による営業損失または過失による売上げ計算間違いなどをあらかじめ防止することができる。
【図面の簡単な説明】
【００４９】
【図１】本発明の実施の形態によるＰＯＳシステムを示した構成図である。
【図２】本発明の実施の形態によるＰＯＳシステムのスキャン／キー入力表示部の様々な例を示した図である。
【図３】本発明の実施の形態による図２の（ａ）で構成されたスキャン／キー入力表示部を備えたＰＯＳシステムの制御方法を示すフローチャートである。
【図４】本発明の実施の形態による図２の（ｂ）で構成されたスキャン／キー入力表示部を備えたＰＯＳシステムの制御方法を示すフローチャートである。
【図５】本発明の実施の形態による図２の（ｃ）で構成されたスキャン／キー入力表示部を備えたＰＯＳシステムの制御方法を示すフローチャートである。
【図６】本発明の実施の形態による図２の（ｂ）で構成されたスキャン／キー入力表示部を備えたＰＯＳシステムの制御方法に関する他のフローチャートである。
【符号の説明】
【００５０】
１０：ＰＯＳ端末機
１２：ＣＰＵ
１４：通信モジュール
１６：プログラム記憶部
２０：ディスプレイ部
２２：カードリーダー
３０：商品ＤＢ
４０：バーコードスキャナ
５０：キー入力部
６０：スキャン／キー入力表示部
【図１】
2009532798.tif 000003
【図２】
2009532798.tif 000004
【図３】
2009532798.tif 000005
【図４】
2009532798.tif 000006
【図５】
2009532798.tif 000007
【図６】
2009532798.tif 000008
【国際調査報告】
2009532798.tif 000009
2009532798.tif 000010